(57)【要約】【課題】微小振動時における高振動数振動による共振や低振動数振動による共振増幅を防げ、それでいて、中大地震や強風時にはそれら地震や風にしっかりと耐えることができるブレース式の耐力パネル及び耐力構造を提供する。【解決手段】ブレース３の端部がパネルフレーム２に設けられた孔４を貫通し、該端部にエンドプレート５が設けられ、エンドプレート５とパネルフレーム２との間の隙間６を利用してエンドプレート５がパネルフレーム２に対して接近離反し、ブレース３が引っ張られエンドプレート５がパネルフレーム２に当接することで耐力パネルとして機能する。エンドプレート５とパネルフレーム２との間には減衰用の粘性材７が設けられている。【選択図】      図１
2007040064.tif 000002
【特許請求の範囲】
【請求項１】
パネルフレーム内を斜めに延びるブレースの端部が、パネルフレームに設けられた孔を貫通し、該端部に抜止め材が設けられており、
該抜止め材とパネルフレームとの間に隙間が設けられ、該隙間を利用して抜止め材がパネルフレームに対して接近離反できるようになされていると共に、ブレースが引っ張られて抜止め材がパネルフレームに当接することにより耐力パネルとして機能するようになされており、かつ、
抜止め材を含むブレース側とパネルフレーム側との間に減衰用の粘性材が設けられ、該粘性材が抜止め材とパネルフレームとの前記接近離反動作に追従して変形動作を行うようになされていることを特徴とするブレース式耐力パネル。
【請求項２】
柱梁架構内を斜めに延びるブレースの端部が柱梁架構に設けられた孔を貫通し、該端部に抜止め材が設けられており、
該抜止め材と前記架構との間に隙間が設けられ、該隙間を利用して抜止め材が架構に対して接近離反できるようになされていると共に、ブレースが引っ張られて抜止め材が架構に当接することにより耐力構造として機能するようになされており、かつ、
抜止め材を含むブレース側と架構側との間に減衰用の粘性材が設けられ、該粘性材が抜止め材と架構との前記接近離反動作に追従して変形動作を行うようになされていることを特徴とするブレース式耐力構造。
【発明の詳細な説明】
【技術分野】
【０００１】
本発明は、ブレース式耐力パネル及び耐力構造に関する。
【背景技術】
【０００２】
建物等の構造物に用いられているブレース式の耐力パネルやその他の耐力構造では、剛性が高いため、微小振動時には、それが鉄道振動のような高振動数振動では共振しやすく、また、低振動数振動による共振増幅も起こりやすい。
【発明の開示】
【発明が解決しようとする課題】
【０００３】
本発明は、上記のような問題点に鑑み、微小振動時における高振動数振動による共振や低振動数振動による共振増幅を防ぐことができ、それでいて、中大地震や強風時にはそれら地震や風にしっかりと耐えることができるブレース式の耐力パネル及び耐力構造を提供することを課題とする。
【課題を解決するための手段】
【０００４】
上記の課題は、パネルフレーム内を斜めに延びるブレースの端部が、パネルフレームに設けられた孔を貫通し、該端部に抜止め材が設けられており、
該抜止め材とパネルフレームとの間に隙間が設けられ、該隙間を利用して抜止め材がパネルフレームに対して接近離反できるようになされていると共に、ブレースが引っ張られて抜止め材がパネルフレームに当接することにより耐力パネルとして機能するようになされており、かつ、
抜止め材を含むブレース側とパネルフレーム側との間に減衰用の粘性材が設けられ、該粘性材が抜止め材とパネルフレームとの前記接近離反動作に追従して変形動作を行うようになされていることを特徴とするブレース式耐力パネルによって解決される。
【０００５】
この耐力パネルでは、微小振動時には、パネルの剛性が低く、抜止め材とパネルフレームとの間の隙間を利用してブレース端部の抜止め材がパネルフレームに対して接近離反し、減衰用の粘性材が抜止め材とパネルフレームとの接近離反動作に追従して変形動作を行うことにより、粘性材による減衰作用によって振動エネルギーを吸収し、高振動数振動による共振や低振動数振動による共振増幅を防ぐことができる。
【０００６】
それでいて、中大地震や強風時には、ブレースが引っ張られて抜止め材がパネルフレームに当接することにより耐力パネルとして機能するようになされているので、中大地震や強風にしっかりと耐えることができる。
【０００７】
しかも、ブレースの端部をパネルフレームに設けられた孔に貫通させ、該端部に抜止め材を設け、抜止め材とパネルフレームとの間に隙間を形成し、該隙間によって耐力パネルの剛性を低くし、パネルフレームへの抜止め材の当接によって耐力パネルとしての剛性を発揮するようにしたものであるから、耐力パネルの剛性を簡素な構造で低くすることができると共に、パネルフレームへの抜止め材の当接によってしっかりとした剛性を発揮することができる。また、ブレースの端部を除く長さ方向中間部をスッキリとしたものにすることができる。
【０００８】
なお、本発明は、パネルに限らず、柱梁架構を備えた各種耐力構造に用いることが可能である。即ち、上記の課題は、柱梁架構内を斜めに延びるブレースの端部が柱梁架構に設けられた孔を貫通し、該端部に抜止め材が設けられており、
該抜止め材と前記架構との間に隙間が設けられ、該隙間を利用して抜止め材が架構に対して接近離反できるようになされていると共に、ブレースが引っ張られて抜止め材が架構に当接することにより耐力構造として機能するようになされており、かつ、
抜止め材を含むブレース側と架構側との間に減衰用の粘性材が設けられ、該粘性材が抜止め材と架構との前記接近離反動作に追従して変形動作を行うようになされていることを特徴とするブレース式耐力構造によっても同様に解決される。
【０００９】
なお、粘性材は純粋な粘性材であってもよいし、粘弾性材であってもよいし、要は変形動作をすることによってエネルギーを吸収して振動を減衰することができるようなものであればよい。
【発明の効果】
【００１０】
本発明は、以上のとおりのものであるから、微小振動時における高振動数振動による共振や低振動数振動による共振増幅を防ぐことができ、それでいて、中大地震や強風時にはそれら地震や風にしっかりと耐えることができる。
【発明を実施するための最良の形態】
【００１１】
次に、本発明の実施最良形態を図面に基づいて説明する。
【００１２】
図１に示す実施形態の耐力パネル１は、住宅用等の建物の外壁などに用いられるもので、２はパネルフレーム、３，３はブレースであり、パネルフレーム２は、溝形鋼をその開口側を内向きにするようにして方形環状に組んだもので、ブレース３，３は帯板状の鋼板からなっていて、パネルフレーム２の対角をつなぐようにＸ交差状に備えられている。
【００１３】
そして、図２に示すように、パネルフレーム２の左側の縦枠の上端部の溝底板部２ａの幅方向中間部には、上下方向に延びるスリット状の孔４が設けられ、ブレース３の端部が該孔４を貫通してパネルフレーム２の外に突出し、そこに抜止め材としてのエンドプレート５が設けられ、該エンドプレート５は、パネルフレーム２の溝底板と平行に向けられ、また、ブレース３とは幅方向の中間部において結合され、そして、エンドプレート５とパネルフレーム２との間には間隔寸法が例えば１ｍｍ程度の隙間が設けられ、該隙間６に減衰用の粘性材７が入れられている。
【００１４】
パネルフレーム２の右側の縦枠の上下の端部、及び、左側の縦枠の下端部も同様の構造になっている。
【００１５】
上記の耐力パネル１では、微小振動時、即ち層間変形が１ｍｍ以下であるときは、図３（イ）に示すように、パネル１の剛性が低く、エンドプレート５とパネルフレーム２との間の隙間を利用してエンドプレート５がパネルフレーム２に対して接近離反し、減衰用の粘性材７がエンドプレート５とパネルフレーム２との接近離反動作に追従して圧縮方向の変形動作を行うことにより、粘性材７による減衰作用によって振動エネルギーが吸収され、高振動数振動による共振や低振動数振動による共振増幅を防ぐことができる。
【００１６】
そして、中大地震や強風時には、図３（ロ）に示すように、ブレース３が引っ張られてエンドプレート５がパネルフレーム２に当接することにより耐力パネルとして機能し、中大地震や強風にしっかりと耐えることができる。
【００１７】
しかも、ブレース３の端部をパネルフレーム２に設けられた孔４に貫通させ、該端部にエンドプレート５を設け、エンドプレート５とパネルフレーム２との間に隙間６を形成し、該隙間６によって耐力パネルの剛性を低くし、パネルフレーム２へのエンドプレート５の当接にって耐力パネルとしての剛性を発揮するようにしたものであるから、耐力パネルの剛性を簡素な構造で微小振動のために低くすることができると共に、パネルフレーム２へのエンドプレート５の当接によってしっかりとした剛性を発揮することができる。
【００１８】
更に、ブレース３の端部を除く長さ方向中間部をスッキリとしたものにすることができ、また、例えばパネル１内に断熱材を設置するような場合には、該中間部において該断熱材との取り合い関係に無理や変更等を生じさせたりすることもない。
【００１９】
図４（イ−１）（イ−２）に示す第２実施形態は、粘性材７をパネルフレーム２の孔４の内部、即ちパネルフレーム２の板厚内に入れたものであり、粘性材７の行うせん断変形等によりエネルギーを吸収して減衰を行うようにしたものである。その他は第１実施形態と同様である。
【００２０】
図４（ロ）に示す第３実施形態は、ブレース３としてワイヤーブレースを用い、そのネジ付き端部３ａをパネルフレーム２の丸孔４に貫通させ、端部ネジ部３ａをパネルフレーム２の外で抜止め材としての抜止め板５に通し、ナット８を螺合させ、抜止め板５とパネルフレーム２との間に設けた隙間６に粘性材７を入れたものである。その他は、第１実施形態と同様である。
【００２１】
図５に示す第４実施形態は、第１実施形態において、パネルフレーム２におけるスリット状の孔４が溝底板部２ａの幅方向の端部に設けられると共に、エンドプレート５が帯板状のブレース３の端部に鉤形に設けられ、そして、粘性材７がパネルフレームの溝立ち上がり板部２ｂと帯板状ブレース３の重なり部間に入れられたものであり、微小振動時に粘性材７にせん断変形による効果的な減衰作用を行わせることができる。
【００２２】
以上に、本発明の実施形態を示したが、本発明はこれに限られるものではなく、発明思想を逸脱しない範囲で各種の変更が可能である。例えば、上記の実施形態では、ブレースが引っ張りを受けて耐力を発揮するタイプのものを示したが、引張りと圧縮の両方で耐力を発揮するものであってもよいし、ブレースはＸ形のほか、Ｖ形であってもよいし、また、引張りと圧縮の両方を負担するブレースの場合は／（スラッシュ）形であってもよい。
【００２３】
また、上記の実施形態では、パネルフレーム２にブレース３が備えられた耐力パネル１を対象としているが、本発明は、パネル式のほか、柱梁架構内にブレースが入れられる各種耐力構造に広く用いることができる。
【図面の簡単な説明】
【００２４】
【図１】第１実施形態の耐力パネル、耐力構造を示す全体正面図である。
【図２】図（イ）は図１のＡ部拡大正面図、図（ロ）は同平面図、図（ハ）は同側面図、図（ニ）は図（イ）のＩ−Ｉ線断面図、図（ホ）は図（ハ）のＩＩ−ＩＩ線断面図である。
【図３】図（イ）及び図（ロ）は同耐力パネルの作動状態を示す要部正面図である。
【図４】図（イ−１）（イ−２）は第２実施形態の耐力パネルを示すもので、図（イ−１）は図（イ−２）のＩＩＩ−ＩＩＩ線断面矢視図、図（イ−２）は要部断面正面図、図（ロ）は第３実施形態の耐力パネルを示す要部正面図である。
【図５】第４実施形態の耐力パネルを示すもので、図（イ）は要部正面図、図（ロ）は同側面図、図（ハ）は図（イ）のＶＩ−ＶＩ線断面矢視図、図（ニ）は図（イ）のＶ−Ｖ線断面矢視図である。
【符号の説明】
【００２５】
１…耐力パネル
２…パネルフレーム（梁柱架構）
３…ブレース
４…孔
５…エンドプレート、抜止め板（抜止め材）
６…隙間
７…粘性材
【図１】
2007040064.tif 000003
【図２】
2007040064.tif 000004
【図３】
2007040064.tif 000005
【図４】
2007040064.tif 000006
【図５】
2007040064.tif 000007